(57)【特許請求の範囲】
【請求項１】
電力系統から電気自動車への充電および前記電気自動車から前記電力系統への放電を行う系統連系を制御するシステムであって、
前記電気自動車と前記電力系統との間に設置される制御装置および前記制御装置と通信可能に接続されるサーバ装置のいずれかが、
前記電気自動車から当該電気自動車の型式を示す型式情報を受信する電源情報受信部と、
前記系統連系が可能である前記電気自動車の型式を示す型式情報を記憶するデータベースと、
前記電気自動車から受信した前記型式情報が前記データベースに記憶されているか否かにより、前記系統連系の可否を判定する接続判定部と、
を備えること特徴とする電気自動車系統連系制御システム。
【請求項２】
請求項１に記載の電気自動車系統連系制御システムであって、
前記データベースは、前記電力系統への前記電気自動車の接続可能台数と、前記電気自動車の現在の接続数とをさらに記憶しており、
前記接続判定部は、前記型式情報が前記データベースに記憶されており、かつ、前記接続数が前記接続可能台数よりも少ない場合に、前記系統連系が可能と判定すること、
を特徴とする電気自動車系統連系制御システム。
【請求項３】
請求項１に記載の電気自動車系統連系制御システムであって、
前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含むこと、
を特徴とする電気自動車系統連系制御システム。
【請求項４】
請求項３に記載の電気自動車系統連系制御システムであって、
前記制御装置および前記サーバ装置のいずれかは、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件を記憶するデータベースを備え、
前記接続判定部は、前記電気自動車から受信した前記電源情報が、前記データベースに記憶されている前記条件を満たすか否かにより、前記系統連系の可否を判定すること、
を特徴とする電気自動車系統連系制御システム。
【請求項５】
請求項１乃至４のいずれか１項に記載の電気自動車系統連系制御システムであって、
前記制御装置は電力量計であり、
前記電力量計が前記電源情報受信部を備え、
前記サーバ装置が前記接続判定部および前記データベースを備え、
前記電力量計は、前記電源情報を前記サーバ装置に送信する電源情報送信部をさらに備え、
前記サーバ装置は、前記接続判定部による判定結果を前記電力量計に送信する判定結果送信部をさらに備え、
前記電力量計は、前記系統連系が可能との前記判定結果を受信した場合に、前記電気自動車から放電される電力を前記電力系統に給電する電源回路を備えること、
を特徴とする電気自動車系統連系制御システム。
【請求項６】
電力系統から電気自動車への充電および前記電気自動車から前記電力系統への放電を行う系統連系を制御するシステムであって、
前記電気自動車と前記電力系統との間に設置される制御装置および前記制御装置と通信可能に接続されるサーバ装置のいずれかが、
前記電気自動車から当該電気自動車が搭載している電源設備に関する電源情報を受信する電源情報受信部と、
前記電気自動車から充電または放電を要求する充放電要求を受信する充放電要求受信部と、
前記充放電要求が放電を要求している場合にのみ、前記電源情報に応じて前記系統連系の可否を判定し、前記充放電要求が充電を要求している場合には、常に充電を行うように判定する接続判定部と、
前記接続判定部の判定結果に応じて、前記電力系統から供給される電力を前記電気自動車に充電し、前記電気自動車から放電される電力を前記電力系統に供給するように制御する充放電制御部と、
を備えることを特徴とする電気自動車系統連系制御システム。
【請求項７】
請求項１ないし６のいずれか１項に記載の電気自動車系統連系制御システムであって、
前記制御装置および前記サーバ装置のいずれかは、
前記電源設備からの放電を継続するための、前記電源設備の状態に対する条件である放電条件を前記電気自動車から受信する放電条件受信部と、
前記放電条件を記憶するメモリと、
前記電気自動車から、前記電源設備の状態を受信する電源状態受信部と、
受信した前記電源設備の状態が前記放電条件を満たす間のみ、前記電気自動車から放電される電力を前記電力系統に供給するように制御する制御回路と、
をさらに備えることを特徴とする電気自動車系統連系制御システム。
【請求項８】
電力系統から電気自動車への充電および前記電気自動車から前記電力系統への放電を行う系統連系を制御する方法であって、
前記電気自動車と前記電力系統とを接続する制御装置および前記制御装置と通信可能に接続されるサーバ装置のいずれかが、
前記電気自動車から当該電気自動車の型式を示す型式情報を受信し、
前記系統連系が可能である前記電気自動車の型式を示す型式情報をメモリに記憶し、
前記電気自動車から受信した前記型式情報が前記メモリに記憶されているか否かにより、前記系統連系の可否を判定すること、
を特徴とする電気自動車系統連系制御方法。
【請求項９】
請求項８に記載の電気自動車系統連系制御方法であって、
前記制御装置および前記サーバ装置のいずれかは、前記型式情報に加えて、前記電力系統への前記電気自動車の接続可能台数と、前記電気自動車の現在の接続数とをさらに前記メモリに記憶し、
前記制御装置および前記サーバ装置のいずれかは、前記型式情報が前記メモリに記憶されており、かつ、前記接続数が前記接続可能台数よりも少ない場合に、前記系統連系が可能と判定すること、
を特徴とする電気自動車系統連系制御方法。
【請求項１０】
請求項８または９に記載の電気自動車系統連系制御方法であって、
前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含み、
前記制御装置および前記サーバ装置のいずれかは、
前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件をメモリに記憶し、
前記電気自動車から受信した前記電源情報が、前記メモリに記憶されている前記条件を満たすか否かにより、前記系統連系の可否を判定すること、
を特徴とする電気自動車系統連系制御方法。
【請求項１１】
電力系統から電気自動車への充電および前記電気自動車から前記電力系統への放電を行う系統連系を制御する方法であって、
前記電気自動車と前記電力系統との間に設置される制御装置および前記制御装置と通信可能に接続されるサーバ装置のいずれかが、
前記電気自動車から前記電気自動車が搭載している電源設備に関する電源情報を受信し、
前記電気自動車から充電または放電を要求する充放電要求を受信し、
前記充放電要求が放電を要求している場合にのみ、前記電源情報に応じて前記系統連系の可否を判定し、前記充放電要求が充電を要求している場合には、常に充電を行うように判定し、
判定結果に応じて、前記電力系統から供給される電力を前記電気自動車に充電し、前記電気自動車から放電される電力を前記電力系統に供給するように制御すること、
を特徴とする電気自動車系統連系制御方法。
【請求項１２】
電力系統から電気自動車への充電および前記電気自動車から前記電力系統への放電を行う系統連系を制御するためのプログラムであって、
前記電気自動車と前記電力系統とを接続する制御装置および前記制御装置と通信可能に接続されるサーバ装置のいずれかに、
前記電気自動車から当該電気自動車の型式を示す型式情報を受信するステップと、
前記系統連系が可能である前記電気自動車の型式を示す型式情報をメモリに記憶するステップと、
前記電気自動車から受信した前記型式情報が前記メモリに記憶されているか否かにより、前記系統連系の可否を判定するステップと、
を実行させるためのプログラム。
【請求項１３】
請求項１２に記載のプログラムであって、
前記制御装置および前記サーバ装置のいずれかに、前記型式情報に加えて、前記電力系統への前記電気自動車の接続可能台数と、前記電気自動車の現在の接続数とをさらに前記メモリに記憶させ、
前記制御装置および前記サーバ装置のいずれかに、前記型式情報が前記メモリに記憶されており、かつ、前記接続数が前記接続可能台数よりも少ない場合に、前記系統連系が可能と判定するステップをさらに実行させるためのプログラム。
【請求項１４】
請求項１２または１３に記載のプログラムであって、
前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含み、
前記制御装置および前記サーバ装置のいずれかに、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件をメモリに記憶するステップをさらに実行させ、
前記系統連系の可否を判定するステップにおいて、前記制御装置および前記サーバ装置のいずれかに、前記電気自動車から受信した前記電源情報が、前記メモリに記憶されている前記条件を満たすか否かにより、前記系統連系の可否を判定させること、
を特徴とするプログラム。
【請求項１５】
電力系統から電気自動車への充電および前記電気自動車から前記電力系統への放電を行う系統連系を制御するためのプログラムであって、
前記電気自動車と前記電力系統との間に設置される制御装置および前記制御装置と通信可能に接続されるサーバ装置のいずれかに、
前記電気自動車から前記電気自動車が搭載している電源設備に関する電源情報を受信するステップと、
前記電気自動車から充電または放電を要求する充放電要求を受信するステップと、
前記充放電要求が放電を要求している場合にのみ、前記電源情報に応じて前記系統連系の可否を判定し、前記充放電要求が充電を要求している場合には、常に充電を行うように判定するステップと、
判定結果に応じて、前記電力系統から供給される電力を前記電気自動車に充電し、前記電気自動車から放電される電力を前記電力系統に供給するように制御するステップと、
を実行させるためのプログラム。
【請求項１６】
電力系統に接続され、前記電力系統から充電を受け、前記電力系統へ放電する電気自動車であって、
前記電力系統と系統連系が可能である型式を示す型式情報の一覧をサーバ装置から取得し、自身の型式を示す前記型式情報が前記一覧に含まれているか否かにより前記系統連系の可否を判定する接続判定部を備えること、
を特徴とする電気自動車。
【請求項１７】
請求項１６に記載の電気自動車であって、
前記接続判定部は、前記自身の型式を示す型式情報が前記一覧に含まれ、かつ、前記電力系統への電気自動車の現在の接続数が所定の接続可能台数よりも少ない場合に、前記系統連系が可能と判定すること、
を特徴とする電気自動車。
【請求項１８】
電力系統から電気自動車への充電および前記電気自動車から前記電力系統への放電を行う系統連系を制御する方法であって、
前記電力系統に接続され、前記電力系統から充電を受け、前記電力系統へ放電する前記電気自動車が、前記電力系統と系統連系が可能である型式を示す型式情報の一覧をサーバ装置から取得し、自身の型式を示す前記型式情報が前記一覧に含まれているか否かにより前記系統連系の可否を判定すること、
を特徴とする電気自動車系統連系制御方法。
【請求項１９】
請求項１８に記載の電気自動車系統連系制御方法であって、
前記電気自動車は、前記自身の型式を示す型式情報が前記一覧に含まれ、かつ、前記電力系統への電気自動車の現在の接続数が所定の接続可能台数よりも少ない場合に、前記系統連系が可能と判定すること、
を特徴とする電気自動車系統連系制御方法。
【請求項２０】
電力系統から電気自動車への充電および前記電気自動車から前記電力系統への放電を行う系統連系を制御するためのプログラムであって、
前記電力系統に接続され、前記電力系統から充電を受け、前記電力系統へ放電する前記電気自動車に、
前記電力系統と系統連系が可能である型式を示す型式情報の一覧をサーバ装置から取得するステップと、
自身の型式を示す前記型式情報が前記一覧に含まれているか否かにより前記系統連系の可否を判定するステップと、
を実行させるためのプログラム。
【請求項２１】
請求項２０に記載のプログラムであって、
前記電気自動車に、前記自身の型式を示す型式情報が前記一覧に含まれ、かつ、前記電力系統への電気自動車の現在の接続数が所定の接続可能台数よりも少ない場合に、前記系統連系が可能と判定させること、
を特徴とするプログラム。
【発明の詳細な説明】
【技術分野】
【０００１】
本発明は、電気自動車系統連系制御システム、電気自動車系統連系制御方法およびプログラムに関する。
【背景技術】
【０００２】
電気自動車（ＥＶ；Electric Vehicleとも表記される。）は蓄電池に充電された電気を動力源として走行する。近年では電気自動車に搭載されている蓄電池と電力系統とを接続して電力のやりとりを行うＶ２Ｇ（Vehicle to Grid）技術が提案されている。例えば、特許文献１でも電気自動車の蓄電池の電力を、系統連系を通じて電力会社などに売電することが検討されている。
【先行技術文献】
【特許文献】
【０００３】
【特許文献１】特開２０１０−１４８２８３
【発明の概要】
【発明が解決しようとする課題】
【０００４】
電気自動車を電力系統に接続する場合、発電設備を電力系統に接続する系統連系に関する規程（系統連系規程）が適用される。系統連系規程では、電力品質や安全について必要な対策が施されていることが求められており、Ｖ２Ｇにおいて、電気自動車の電源設備に応じて電力系統に接続できる電気自動車には制限を設けることが必要とされる。
【０００５】
しかしながら、特許文献１に記載の電気自動車用蓄電池制御装置では、電気自動車の電源設備に応じた系統連系の拒否を判断しておらず、電気自動車を電力系統に接続することによる危険への対策がなされていない。
【０００６】
本発明は、このような背景を鑑みてなされたものであり、電気自動車の電源設備に応じて電気自動車と電力系統との系統連系の可否を判断することのできる、電気自動車系統連系制御システム、電気自動車系統連系制御方法およびプログラムを提供することを目的とする。
【課題を解決するための手段】
【０００７】
上記課題を解決するための本発明の主たる発明は、電力系統から電気自動車への充電および前記電気自動車から前記電力系統への放電を行う系統連系を制御するシステムであって、前記電気自動車と前記電力系統との間に設置される制御装置および前記制御装置と通信可能に接続されるサーバ装置のいずれかが、前記電気自動車から当該電気自動車の型式を示す型式情報を受信する電源情報受信部と、前記系統連系が可能である前記電気自動車の型式を示す型式情報を記憶するデータベースと、前記電気自動車から受信した前記型式情報が前記データベースに記憶されているか否かにより、前記系統連系の可否を判定する接続判定部と、を備えることとする。
【０００９】
また、本発明の電気自動車系統連系制御システムでは、前記データベースは、前記電力系統への前記電気自動車の接続可能台数と、前記電気自動車の現在の接続数とをさらに記憶しており、前記接続判定部は、前記型式情報が前記データベースに記憶されており、かつ、前記接続数が前記接続可能台数よりも少ない場合に、前記系統連系が可能と判定するようにしてもよい。
【００１０】
また、本発明の電気自動車系統連系制御システムでは、前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含むようにしてもよい。
【００１１】
また、本発明の電気自動車系統連系制御システムでは、前記制御装置および前記サーバ装置のいずれかは、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件を記憶するデータベースを備え、前記接続判定部は、前記電気自動車から受信した前記電源情報が、前記データベースに記憶されている前記条件を満たすか否かにより、前記系統連系の可否を判定するようにしてもよい。
【００１２】
また、本発明の電気自動車系統連系制御システムでは、前記制御装置は電力量計であり、前記電力量計が前記電源情報受信部を備え、前記サーバ装置が前記接続判定部および前記データベースを備え、前記電力量計は、前記電源情報を前記サーバ装置に送信する電源情報送信部をさらに備え、前記サーバ装置は、前記接続判定部による判定結果を前記電力量計に送信する判定結果送信部をさらに備え、前記電力量計は、前記系統連系が可能との前記判定結果を受信した場合に、前記電気自動車から放電される電力を前記電力系統に給電する電源回路を備えるようにしてもよい。
【００１３】
また、本発明の他の態様は、電力系統から電気自動車への充電および前記電気自動車から前記電力系統への放電を行う系統連系を制御するシステムであって、前記電気自動車と前記電力系統との間に設置される制御装置および前記制御装置と通信可能に接続されるサーバ装置のいずれかが、前記電気自動車から当該電気自動車が搭載している電源設備に関する電源情報を受信する電源情報受信部と、前記電気自動車から充電または放電を要求する充放電要求を受信する充放電要求受信部と、前記充放電要求が放電を要求している場合にのみ、前記電源情報に応じて前記系統連系の可否を判定し、前記充放電要求が充電を要求している場合には、常に充電を行うように判定する接続判定部と、前記接続判定部の判定結果に応じて、前記電力系統から供給される電力を前記電気自動車に充電し、前記電気自動車から放電される電力を前記電力系統に供給するように制御する充放電制御部と、を備えることとする。
【００１４】
また、本発明の電気自動車系統連系制御システムでは、前記制御装置および前記サーバ装置のいずれかは、前記電源設備からの放電を継続するための、前記電源設備の状態に対する条件である放電条件を前記電気自動車から受信する放電条件受信部と、前記放電条件を記憶するメモリと、前記電気自動車から、前記電源設備の状態を受信する電源状態受信部と、受信した前記電源設備の状態が前記放電条件を満たす間のみ、前記電気自動車から放電される電力を前記電力系統に供給するように制御する制御回路と、をさらに備えるようにしてもよい。
【００１５】
また、本発明の他の態様は、電力系統から電気自動車への充電および前記電気自動車から前記電力系統への放電を行う系統連系を制御する方法であって、前記電気自動車と前記電力系統とを接続する制御装置および前記制御装置と通信可能に接続されるサーバ装置のいずれかが、前記電気自動車から当該電気自動車の型式を示す型式情報を受信し、前記系統連系が可能である前記電気自動車の型式を示す型式情報をメモリに記憶し、前記電気自動車から受信した前記型式情報が前記メモリに記憶されているか否かにより、前記系統連系の可否を判定することとする。
【００１７】
また、本発明の電気自動車系統連系制御方法では、前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含み、前記制御装置および前記サーバ装置のいずれかは、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件をメモリに記憶し、前記電気自動車から受信した前記電源情報が、前記メモリに記憶されている前記条件を満たすか否かにより、前記系統連系の可否を判定するようにしてもよい。
【００１８】
また、本発明の他の態様は、電力系統から電気自動車への充電および前記電気自動車から前記電力系統への放電を行う系統連系を制御するためのプログラムであって、前記電気自動車と前記電力系統とを接続する制御装置および前記制御装置と通信可能に接続されるサーバ装置のいずれかに、前記電気自動車から当該電気自動車の型式を示す型式情報を受信するステップと、前記系統連系が可能である前記電気自動車の型式を示す型式情報をメモリに記憶するステップと、前記電気自動車から受信した前記型式情報が前記メモリに記憶されているか否かにより、前記系統連系の可否を判定するステップと、を実行させることとする。
【００２０】
また、本発明のプログラムでは、前記電源情報は、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかを含み、前記制御装置および前記サーバ装置のいずれかに、前記電源設備に係る電気方式、力率、高調波の発生量、保護装置の有無、系統連系した場合の想定短絡容量、複数台連系した場合に単独運転防止機能が動作するか否かを示す情報、想定瞬時電圧変動量および想定電圧の少なくともいずれかに対する条件をメモリに記憶するステップをさらに実行させ、前記系統連系の可否を判定するステップにおいて、前記制御装置および前記サーバ装置のいずれかに、前記電気自動車から受信した前記電源情報が、前記メモリに記憶されている前記条件を満たすか否かにより、前記系統連系の可否を判定させるようにしてもよい。
【００２１】
その他本願が開示する課題やその解決方法については、発明の実施形態の欄及び図面により明らかにされる。
【発明の効果】
【００２２】
本発明によれば、電気自動車の放電設備に応じて電気自動車と電力系統との系統連系の可否を判断することができる。
【図面の簡単な説明】
【００２３】
【図１】本実施形態に係る系統連系システムの全体構成を示す図である。
【図２】電気自動車１０のハードウェア構成を説明する図である。
【図３】電気自動車１０のソフトウェア構成を示す図である。
【図４】充放電情報記憶部１３１に記憶される充放電情報の一例を示す図である。
【図５】充放電条件記憶部１３２に記憶される充放電条件の一例を示す図である。
【図６】電力量計２０のハードウェア構成例を示す図である。
【図７】サーバ３０のハードウェア構成例を示す図である。
【図８】サーバ３０のソフトウェア構成例を示す図である。
【図９】連系可能車両データベース３３１の構成例を示す図である。
【図１０】系統連系管理データベース３３２の構成例を示す図である。
【図１１】電気自動車１０における処理の流れを示す図である。
【図１２】電力量計２０における処理の流れを示す図である。
【図１３】サーバ３０における処理の流れを示す図である。
【図１４】系統連系条件を用いて系統連系の可否を判断する場合のサーバ３０における処理の一例を示す図である。
【図１５】系統連系条件を記憶する場合の連系可能車両データベース３３１の構成例を示す図である。
【図１６】系統連系条件を記憶する場合のサーバ３０における処理の一例を示す図である。
【発明を実施するための形態】
【００２４】
以下、本実施形態に係る系統連系システムについて説明する。図１は、本実施形態に係る系統連系システムの全体構成を示す図である。本実施形態の系統連系システムは、電気自動車１０を接続する電力量計２０およびサーバ３０を含んで構成されている。本実施形態の系統連系システムでは、電気自動車１０が電源として電力系統に接続される。
【００２５】
電気自動車１０は、電力量計２０のコネクタ２１に電力線１１を用いて接続可能である。電気自動車１０は、電力量計２０を介して電力系統からの電力供給を受けて、蓄電池を充電し、蓄電池から電力を放電し、電力量計２０を介して電力系統に対して電力を供給することができる。電気自動車１０と電力量計２０との間では電力線１１を流れる電気信号に情報信号を重ねることで情報通信を行うＰＬＣ（Power Line Communication）により情報が送受信される。サーバ３０は、電力量計２０と電力線３１を介して接続され、サーバ３０と電力量計２０との間でもＰＬＣにより情報が送受信される。サーバ３０は、電力量計２０に接続された電気自動車１０の電源設備に応じて、電気自動車１０を電源とする電力系統との系統連系の可否を判断する。
【００２６】
＝＝電気自動車１０＝＝
図２は、電気自動車１０のハードウェア構成を説明する図である。電気自動車１０は、電源設備として機能する蓄電池１０２および充放電制御回路１０３、ならびに、ソケット１０１、処理装置１０４、メモリ１０５、記憶装置１０６、ＰＬＣアダプタ１０７、インタフェース１０８を備える。なお、電源設備としては、蓄電池１０２および充放電制御回路１０３以外にも、例えば保護回路などの、各種の構成を設けることができる。
【００２７】
ソケット１０１には電力線１１が接続される。充放電制御回路１０３は蓄電池１０２への充電または蓄電池１０２からの放電を制御する。充放電制御回路１０３は処理装置１０４から入力される信号に応じて、電力線１１から供給される電力により蓄電池１０２を充電し、あるいは蓄電池１０２から放電して電力線１１に電力を供給する。
【００２８】
メモリ１０５および記憶装置１０６は、主記憶装置および二次記憶装置であり、各種のデータやプログラムを記憶する。記憶装置１０６は、例えばフラッシュメモリやハードディスクドライブなどである。処理装置１０４は、例えばマイコンやＣＰＵなどのプロセッサである。処理装置１０４は、記憶装置１０６に記憶されているプログラムをメモリ１０５に読み出して実行することにより各種の機能を実現する。ＰＬＣアダプタ１０７は、ＰＬＣによる情報の送受信を行うためのアダプタである。処理装置１０４は、ＰＬＣアダプタ１０７および電力線１１を介して、電力量計２０との間の通信を行うことができる。インタフェース１０８は、ユーザとの間でデータの入出力を行うためのインタフェースである。インタフェース１０８には例えばタッチパネルディスプレイなどを採用することができる。
【００２９】
図３は、電気自動車１０のソフトウェア構成を示す図である。電気自動車１０は、充放電条件入力部１１１、充放電要求送信部１１２、充放電状態送信部１１３、充放電制御部１１４、充放電終了コマンド受信部１１５、充放電情報記憶部１３１、充放電条件記憶部１３２を備える。なお、充放電条件入力部１１１、充放電要求送信部１１２、充放電状態送信部１１３、充放電終了コマンド受信部１１５は、処理装置１０４が記憶装置１０６に記憶されているプログラムをメモリ１０５に読み出して実行することにより実現される。充放電制御部１１４は、例えば充放電制御回路１０３が動作することにより実現される。充放電情報記憶部１３１および充放電条件記憶部１３２は、例えばメモリ１０５や記憶装置１０６が提供する記憶領域の一領域として実現される。
【００３０】
充放電制御部１１４は、蓄電池１０２の充電または放電を制御する。充放電制御部１１４は、外部からの充電または放電を行うように要求する指示信号に応じて、ソケット１０１を介して電力線１１から供給される電力を蓄電池１０２に供給して蓄電池１０２を充電し、あるいは蓄電池１０２から電力を放電してソケット１０１を介して電力線１１に電力を出力するように制御を行う。また、充放電制御部１１４は、例えば電力線１１から供給される電力の電流や電圧が所定の範囲にあるときのみ蓄電池１０２とソケット１０１の間を導通するようにすることができる。また、充放電制御部１１４は、蓄電池１０２の電池容量を、充放電の状態を示す情報（以下、「充放電状態情報」という。）として測定する。本実施形態では、説明を簡単にするために、充放電状態情報としては蓄電池１０２の電池容量のみを測定するものとするが、充電または放電された単位時間あたりの電力量など、充放電の状態に関する各種の情報を測定するようにすることもできる。
【００３１】
充放電情報記憶部１３１は、電気自動車１０における充放電に関する情報（以下、「充放電情報」という。本発明の「電源情報」に該当する。）を記憶する。図４は、充放電情報記憶部１３１に記憶される充放電情報の一例を示す図である。本実施形態では、充放電情報として、車両形式ＩＤ、車両固有ＩＤ、運転者ＩＤ、料金請求還付先、携帯電話番号、メールアドレス、充電条件、放電条件が充放電情報記憶部１３１に記憶されているものとする。車両型式ＩＤは、電気自動車１０の型式を示す情報である。車両固有ＩＤは、電気自動車１０を特定する情報である。車両固有ＩＤは、電気自動車１０の所有者を示す情報としてもよい。運転者ＩＤは、現在電気自動車１０を運転している運転者を示す情報である。運転者ＩＤは、例えば、電気自動車１０の所有者を示す情報としてもよいし、運転開始時点に運転者にインタフェース１０８から入力させるようにしてもよい。料金請求還付先は、充電に際しては電気料金を請求し、放電に際しては電気料金を支払う先を示す情報である。料金請求還付先は、例えば金融機関の口座番号としてもよいし、電力会社等と電力供給契約をしている場合には、電力会社等の契約番号としてもよい。携帯電話番号とメールアドレスは、電気自動車１０の所有者または運転者の連絡先を示す情報である。
【００３２】
充放電条件記憶部１３２は、充電および放電を継続または終了するための条件（以下、「充放電条件」という。）を記憶する。本実施形態では、説明を簡単にするため、充放電条件には、充電または放電を継続するための、蓄電池１０２の電池容量に対する条件が設定されるものとする。もちろん、充放電条件には、充電または放電を終了するための条件を指定することもできるし、電池容量以外にも、例えば単位時間当たりに充電または放電された電力量の範囲や、電圧の範囲、電流の範囲などの各種の条件を指定することもできる。図５は、充放電条件記憶部１３２に記憶される充放電条件の一例を示す図である。図５の例では、蓄電池１０２への充電を継続する条件である充電条件と、蓄電池１０２からの放電を継続する条件である放電条件とが充放電条件として充放電条件記憶部１３２に記憶されている。充電条件は、蓄電池１０２の電池容量が１００％になるまで充電を継続することを示している。放電条件は、蓄電池１０２の電池容量が５０％になるまで放電を継続することを示している。
【００３３】
充放電条件入力部１１１は、充放電条件の入力を受け付けて、充放電条件記憶部１３２に登録する。本実施形態では、あらかじめ充電条件および放電条件の入力を受け付けて充放電条件記憶部１３２に記憶しておくものとする。
【００３４】
充放電要求送信部１１２は、充電または放電を行う旨のコマンド（以下、「充放電要求」という。）を電力量計２０に送信することにより、充電または放電を開始する。充放電要求送信部１１２は、充電または放電を開始する旨のコマンド（以下、「充放電開始コマンド」という。）を運転者から受け付けたことを契機として充放電要求を送信する。充放電要求送信部１１２は、充放電情報記憶部１３１および充放電条件記憶部１３２から充放電情報および充放電条件を読み出し、読み出した充放電情報および充放電条件を充放電要求に含めて送信する。また、充放電要求送信部１１２は、電力量計２０からエラーが通知されなければ、充放電制御部１１４に対して充電または放電を行うように指示信号を送信する。電力量計２０からエラーが通知された場合には、充放電要求送信部１１２は、エラーメッセージをインタフェース１０８に表示して処理を終了する。
【００３５】
充放電状態送信部１１３は、充放電制御部１１４から充放電状態情報を取得し、取得した充放電状態情報を、ＰＬＣアダプタ１０７を介して電力量計２０に送信する。
【００３６】
充放電終了コマンド受信部１１５は、充放電が終了したことを示すコマンド（以下、「充放電終了コマンド」という。）を電力量計２０から受信する。充放電終了コマンド受信部１１５は、充放電終了コマンドの受信に応じて、充放電制御部１１４に対して充電または放電を終了するように指示信号を送信する。
【００３７】
＝＝電力量計２０＝＝
図６は、電力量計２０のハードウェア構成例を示す図である。電力量計２０は充電回路２０１、放電回路２０２、切替回路２０３、判定処理回路２０４、ＰＬＣアダプタ２０５、メモリ２０６ならびにコネクタ２１および２２を備えている。
【００３８】
コネクタ２１には電力線１１が接続され、コネクタ２２には電力線３１が接続される。充電給電回路２０１は、電力線３１から供給される電力系統からの電力を、電力線１１を介して電気自動車１０の蓄電池１０２に供給するための回路であり、放電回路２０２は、電力線１１から供給される電気自動車１０から放電された電力を、電力線３１を介して電力系統に供給するための回路である。切替回路２０３は、入力信号に応じて、充電回路２０１または放電回路２０２のいずれかを起動し、あるいは充電回路２０１および放電回路２０２とコネクタ２１との間の接続を解除して充放電を終了するための回路である。ＰＬＣアダプタ２０５は、電力線１１および３１を介してＰＬＣによる情報通信を行うためのアダプタである。
【００３９】
メモリ２０６には電力量計２０を識別する情報（以下、「電力量計ＩＤ」という。）が記憶される。判定処理回路２０４は、電気自動車１０から送信される充放電要求を受信し、受信した充放電要求に、メモリ２０６に記憶されている電力量計ＩＤを付帯させてサーバ３０に送信する。また、判定処理回路２０４は、充放電要求に応じてサーバ３０から送信される、充電もしくは放電またはエラー表示を指示するコマンド（以下、「充放電指示コマンド」という。）を受信する。判定処理回路２０４は、充放電指示コマンドが充電または放電を指示する場合には、切替回路２０３に信号を与え、充電回路２０１または放電回路２０２を起動する。判定処理回路２０４は、充放電指示コマンドがエラーを示す場合には、エラーが発生した旨を示すメッセージを電気自動車１０に送信する。また、判定処理回路２０４は、充放電要求に含まれる充放電条件をメモリ２０６に記憶しておき、充放電指示コマンドに応じて充電または放電が開始された場合、電気自動車１０から充放電状態情報を受信して、充放電状態情報がメモリ２０６に記憶されている充放電条件を満たしている間のみ充電または放電を継続し、充放電条件を満たさなくなったときに、切替回路２０３に信号を入力して、充電または放電を終了させるとともに、充電または放電が終了したことを示す充放電終了コマンドを電気自動車１０に送信する。また、判定処理回路２０４は、充電または放電を終了した場合、充放電終了コマンドに電力量計ＩＤを付帯させてサーバ３０に送信する。
【００４０】
＝＝サーバ３０＝＝
図７は、サーバ３０のハードウェア構成例を示す図である。サーバ３０は、ＣＰＵ３０１、メモリ３０２、記憶装置３０３、ＰＬＣアダプタ３０４、コネクタ３０５、入力装置３０６、出力装置３０７を備える。記憶装置３０３は各種のデータやプログラムを記憶する、例えばハードディスクドライブやフラッシュメモリなどである。ＣＰＵ３０１は記憶装置３０３に記憶されているプログラムをメモリ３０２に読み出して実行することにより各種の機能を実現する。コネクタ３０５は電力線３１を接続するための接続インタフェースである。ＰＬＣアダプタ３０４はコネクタ３０５に接続された電力線３１を介して電力量計２０との間でＰＬＣによる情報通信を行うためのアダプタである。入力装置３０６は、データの入力を受け付ける、例えばキーボードやマウス、マイクロフォンなどである。出力装置３０７は、データを出力する、例えばディスプレイやプリンタ、スピーカなどである。
【００４１】
図８は、サーバ３０のソフトウェア構成例を示す図である。サーバ３０は、充放電要求受信部３１１、系統連系判定部３１２、充放電指示コマンド送信部３１３、連系可能車両データベース３３１、系統連系管理データベース３３２を備える。なお、充放電要求受信部３１１、系統連系判定部３１２および充放電指示コマンド送信部３１３は、ＣＰＵ３０１が記憶装置３０３に記憶されているプログラムをメモリ３０２に読み出して実行することにより実現される。連系可能車両データベース３３１および系統連系管理データベース３３２はメモリ３０２や記憶装置３０３が提供する記憶領域の一部として実現される。
【００４２】
連系可能車両データベース３３１は、電力量計２０ごとに、系統連系が可能な電気自動車１０が搭載している放電設備に関する情報（放電情報）を記憶する。本実施形態では、連系可能車両データベース３３１は、系統連系が可能と判断されている電気自動車１０の型式を記憶する。図９は、連系可能車両データベース３３１の構成例を示す図である。図９に示すように、連系可能車両データベース３３１は、電力量計２０を示す電力量計ＩＤに対応づけて、系統連系が可能な電気自動車１０の型式を記憶する。なお、連系可能車両データベース３３１には、電力会社等が事前に、電気自動車１０の電気方式、力率、高調波、保護装置の有無、連系後の想定短絡容量、同一バンクに複数台連系した場合に単独運転を防止する機能があるか、想定瞬時電圧変動値、想定電圧などの各事項が要求を満たすと判断された電気自動車１０の型式を登録しておく。
【００４３】
系統連系管理データベース３３２は、系統連系の状態を管理する。図１０は、系統連系管理データベース３３２の構成例を示す図である。同一バンクに属する１台以上の電力量計を示す電力量計ＩＤに対応づけて、系統連系が可能な電気自動車１０の台数（連系可能台数）と、現在系統連系中の電気自動車１０の台数（連系中台数）とを記憶する。
【００４４】
後述するように、電気自動車１０の型式が連系可能車両データベース３３１に登録されており、かつ連系可能台数が連系中台数を上回っている場合にのみ、系統連系が可能と判断される。
【００４５】
充放電要求受信部３１１（本発明の「電源情報受信部」に該当する。）は、電力量計２０から送信される充放電要求を受信する。  
系統連系判定部３１２は、電気自動車１０による充放電の可否を判定する。本実施形態では、充放電要求が放電を要求している場合にのみ、充放電情報に応じて、電気自動車１０による放電の可否を判定する。なお、系統連系判定部３１２による充放電の可否の判断処理の詳細については後述する。
【００４６】
充放電指示コマンド送信部３１３は、系統連系判定部３１２の判定結果に応じて、充電もしくは放電、またはエラー表示を指示する充放電指示コマンドを電力量計２０に送信する。また、充放電指示コマンド送信部３１３は、充放電要求が放電を要求するものであり、系統連系判定部３１２が系統連系可能と判断した場合には、充放電要求に付帯されていた電力量計ＩＤに対応する連系中台数をインクリメントするように系統連系管理データベース３３２を更新する。
【００４７】
充放電終了コマンド受信部３１４は、電力量計２０から送信される充放電終了コマンドを受信する。充放電終了コマンド受信部３１４は、受信した充放電終了コマンドに付帯される電力量計ＩＤに対応する連系中台数をデクリメントするように系統連系管理データベース３３２を更新する。
【００４８】
＝＝処理＝＝
以下、本実施形態の系統連系システムにおける処理について説明する。  
図１１は、電気自動車１０における処理の流れを示す図である。電気自動車１０がインタフェース１０８を介して充電または放電の指示を受け付けると（Ｓ４０１）、充放電条件入力部１１１は、充放電情報記憶部１３１から充放電情報を読み出し（Ｓ４０２）、充放電条件記憶部１３２から充放電条件を読み出し（Ｓ４０３）、読み出した充放電情報および充放電条件を含む充放電要求を電力量計２０に送信する（Ｓ４０４）。
【００４９】
電力量計２０からエラーが応答された場合には（Ｓ４０５：ＹＥＳ）、充放電要求送信部１１２は、エラーメッセージをインタフェース１０８に表示して（Ｓ４０６）、処理を終了する。  
電力量計２０からエラーが応答されなければ（Ｓ４０５：ＮＯ）、充放電要求送信部１１２は充放電制御部１１４に充電または放電を指示する信号を入力して、充電または放電を開始させる（Ｓ４０７）。充放電状態送信部１１３は、充放電制御部１１４が測定した充放電状態情報を取得して（Ｓ４０８）、取得した充放電状態を電力量計２０に送信する（Ｓ４０９）。電力量計２０から充放電終了コマンドを受信していなければ（Ｓ４１０：ＮＯ）、充放電制御部１１４が充電または放電を継続したまま、ステップＳ４０８からの処理を続ける。
【００５０】
図１２は、電力量計２０における処理の流れを示す図である。電力量計２０では、判定処理回路２０４が充放電要求を受信すると、充放電要求に含まれている充放電条件をメモリ２０６に記憶するとともに（Ｓ４２１）、メモリ２０６に記憶されている電力量計ＩＤを充放電要求に付帯させてサーバ２０に送信する（Ｓ４２２）。
【００５１】
判定処理回路２０４は、充放電要求に応じてサーバ２０から送信される充放電指示コマンドを受信し（Ｓ４２３）、受信した充放電指示コマンドが充電を指示している場合には（Ｓ４２４：ＹＥＳ）、切替回路２０３に充電回路２０１を起動させる信号を入力して、電力系統から電気自動車１０への充電を開始する（Ｓ４２５）。判定処理回路２０４は、電気自動車１０から送信される充放電状態情報を受信し（Ｓ４２６）、受信した充放電状態情報がメモリ２０６に記憶されている充放電条件を満たすか否かを判定し（Ｓ４２７）、充放電条件を満たしていなければ（Ｓ４２７：ＮＯ）、ステップＳ４２６からの処理を繰り返す。
【００５２】
一方、サーバ２０から受信した充放電指示コマンドが充電ではなく（Ｓ４２４：ＮＯ）、エラーを示している場合には（Ｓ４２８：ＮＯ）、エラーを電気自動車１０に通知して（Ｓ４２９）、処理を終了する。
【００５３】
充放電指示コマンドが放電を示している場合には（Ｓ４２８：ＹＥＳ）、切替回路２０３に放電回路２０２を起動する信号を入力して、系統連系を行う（Ｓ４３０）。また判定処理回路２０４は、電気自動車１０から充放電情状態情報を受信して（Ｓ４３１）、受信した充放電状態情報がメモリ２０６に記憶されている充放電条件を満たすか否かを判定し（Ｓ４３２）、充放電条件を満たしていなければ（Ｓ４３２：ＮＯ）、ステップＳ４３１からの処理を繰り返す。
【００５４】
ステップＳ４２７またはステップＳ４３２において充放電条件が満たされた場合、判定処理回路２０４は、充電および放電を終了する信号を切替回路２０３に入力して充放電を終了させるとともに、充放電終了コマンドを、サーバ３０および電気自動車１０に送信する（Ｓ４３３）。
【００５５】
図１３は、サーバ３０における処理の流れを示す図である。サーバ３０において、充放電要求受信部３１１が電力量計２０から充放電要求を受信すると、受信した放充電要求が充電を要求している場合には（Ｓ４４１：ＹＥＳ）、充放電指示コマンド送信部３１３は、充電を示す充放電指示コマンドを電力量計２０に送信して（Ｓ４４２）、処理を終了する。充放電要求が放電を要求している場合には（Ｓ４４１：ＮＯ）、系統連系判定部３１２は、充放電要求に付帯されている電力量計ＩＤと、充放電要求に含まれている車両型式ＩＤとに対応するレコードを連系可能車両データベース３３１から検索し（Ｓ４４３）、検索したレコードが連系可能車両データベース３３１に登録されていなければ（Ｓ４４４：ＮＯ）、充放電指示コマンド送信部３１３は、エラーを示す充放電指示コマンドを電力量計２０に送信する（Ｓ４４５）。検索したレコードが連系可能車両データベース３３１に登録されている場合には（Ｓ４４４：ＹＥＳ）、系統連系判定部３１２は、充放電要求に付帯されていた電力量計ＩＤに対応する連系可能台数および連系中台数を系統連系管理データベース３３２から読み出し（Ｓ４４６）、連系可能台数が連系中台数以下であれば（Ｓ４４７：ＮＯ）、ステップＳ４４５に進み、連携可能台数が連系中台数より大きければ（Ｓ４４７：ＹＥＳ）、充放電指示コマンド３１３は放電を示す充放電指示コマンドを電力量計２０に送信する（Ｓ４４８）。
【００５６】
以上のようにして、本実施形態の系統連系システムでは、あらかじめ連系可能車両データベース３３１に登録されている型式の電気自動車１０を、あらかじめ系統連系管理データベース３３２に登録されている台数のみ電力系統に接続するように制御することができる。これにより、系統連系を行った場合に電力品質や安全の面で所定の規約を満たす電気自動車１０のみを電力系統に接続するように制御することができる。また、例えば同一のバンク内で接続可能な電気自動車１０の台数を制限することにより、数多くの電気自動車１０が同一のバンク内に接続されることにより発生しうる電力品質の低下や危険の発生などを防止することができる。
【００５７】
なお、本実施形態では、サーバ３０が電気自動車１０について系統連系の可否を判定するものとしたが、電力量計２０が判定するようにしてもよい。この場合、各電力量計２０が連系可能車両データベース３３１を備えるようにしてもよいし、１つの連系可能車両データベース３３１に、複数の電力量計２０からアクセスするようにしてもよい。
【００５８】
また、本実施形態では、電気自動車１０が系統連系の可否を判定するようにすることもできる。この場合、サーバ３０は、電力量計２０を介して電気自動車１０に連系可能車両データベース３３１に登録されている型式ＩＤの一覧を送信し、電気自動車１０が自身の型式を示す型式ＩＤが、受信した型式ＩＤの一覧に含まれているか否かにより、系統連系可能か否かを判定するようにすることができる。
【００５９】
また、本実施形態では電力量計２０による処理は、判定処理回路２０４というハードウェアとして実現するものとしたが、例えば電力量計２０が処理装置を備え、処理装置がプログラムを実行することにより、図１２の処理を実行するようにしてもよい。また、電気自動車１０およびサーバ３０において、各機能部をハードウェアにより実現するようにしてもよい。
【００６０】
また、本実施形態では、電気自動車１０と電力量計２０との間の通信、および電力量計２０とサーバ３０との間の通信は、ＰＬＣにより行われるものとしたが、これに限らず、例えば、電気自動車１０と電力量計２０との間や、電力量計２０とサーバ３０との間では、無線通信、携帯電話回線網や公衆電話回線網、イーサネット（登録商標）を通じたインターネット通信、シリアルケーブルを介したシリアル通信など、各種の通信方式により通信を行うようにすることができる。
【００６１】
また、連系中台数は、電気自動車１０の型式ごとに重み付けして増減するようにしてもよい。この場合、図１３のステップＳ４４７において、連系可能台数と連系中台数との差が、電気自動車１０ごとの重み以上であれば、ステップＳ４４８に進むようにする。例えば、放電出力の大きい電気自動車１０や、放電の安定性の低い電気自動車について重みを増やしておくことにより、電力系統への給電量の極端な増加や、電力系統における電力品質の低下を防止することができる。
【００６２】
また、本実施形態では、接続された電気自動車１０が充電を要求している場合には全て許可するものとしたが、放電の場合と同様に、充電を許可する電気自動車１０の型式をデータベースに登録しておき、充放電要求に含まれている車両型式ＩＤがデータベースに登録されている場合にのみ、充電を許可するようにしてもよい。また、例えば料金請求還付先に応じて充電が可能か否かを判断するようにしてもよい。
【００６３】
また、本実施形態では、図４に示すような充放電情報が全て電気自動車１０から送信されるものとしたが、例えばサーバ３０が、車両固有ＩＤに対応づけて、各種の充放電情報を記憶する車両データベースを備え、車両データベースから各種の充放電情報を読み出すようにしてもよい。
【００６４】
また、本実施形態では、系統連系が可能な電気自動車１０の型式を連系可能車両データベース３３１に登録しておくものとしたが、電気自動車１０の放電に関する情報を充放電情報として電気自動車１０から取得し、系統連系を許可する条件（以下、「系統連系条件」という。）を充放電情報が満たすか否かにより系統連系の可否を判定するようにしてもよい。図１４は、系統連系条件を用いて系統連系の可否を判断する場合のサーバ３０における処理の一例を示す図である。図１４は、図１３の図を変形したものである。この場合、電気自動車１０からは、電気方式、力率、高調波（電流歪み率）、保護装置の有無、想定短絡容量、単独運転防止機能の有無、想定瞬時電圧変動値、想定電圧値が送信されることを想定している。図１４において、充放電要求が放電を要求している場合（Ｓ４４１：ＮＯ）、系統連系判定部３１２は、電気方式が所定の方式であり（Ｓ５０１：ＹＥＳ）、力率が所定の範囲内であり（Ｓ５０２：ＹＥＳ）、高調波が所定の範囲内であり（Ｓ５０３：ＹＥＳ）、電気自動車１０が保護装置を備えており（Ｓ５０４：ＹＥＳ）、想定短絡容量が所定の範囲内であり（Ｓ５０５：ＹＥＳ）、電気自動車１０が単独運転防止機能を有しており（Ｓ５０６：ＹＥＳ）、想定瞬時電圧変動値が所定の範囲内であり（Ｓ５０７：ＹＥＳ）、想定電圧値が所定の範囲内である場合に（Ｓ５０８：ＹＥＳ）、ステップＳ４４８に進み、放電を示す充放電指示コマンドを電力量計２０に送信するようにし、そうでなければ、ステップＳ４４５に進み、エラーを示す充放電指示コマンドを電力量計２０に送信するようにする。これにより、連系可能車両データベース３３１に予め型式を登録しておく必要がないので、どのような車両であっても、系統連系条件を満たせば、系統連系を許可するようにすることができる。したがって、系統連系条件によって安全性や電力品質を担保しつつ、様々な電気自動車１０を電力系統に接続することができるので、売電しようとする電気自動車１０のユーザの便宜を図ることができる。
【００６５】
また、連系可能車両データベース３３１に系統連系条件を記憶しておき、系統連系判定部３１２が、電気自動車１０から受信した充放電情報が、連系可能車両データベース３３１に記憶されている系統連系条件を満たした場合に、系統連系可能と判定するようにしてもよい。この場合、例えば、図１５に示すように、連系可能車両データベース３３１には、電力量計ＩＤに対応づけて、各種の系統連系条件が登録される。また、サーバ３０では図１６に示す処理が行われる。図１６は、図１３の図を変形したものである。充放電要求が放電を要求している場合（Ｓ４４１：ＮＯ）、系統連系判定部３１２は、連系可能車両データベース３３１から電力量計ＩＤに対応する系統連系条件を読み出し（Ｓ５２１）、読み出した系統連系条件のそれぞれについて、充放電要求に含まれている、対応する充放電情報が系統連系条件を満たすか否かを判定していき（Ｓ５２２）、全ての系統連系条件について、対応する充放電情報が系統連系条件を満たす場合に（Ｓ５２２：ＹＥＳ）、放電を示す充放電指示コマンドを電力量計２０に送信するようにする。
【００６６】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００６７】
１０    電気自動車
１０１  ソケット
１０２  蓄電池
１０３  充放電制御回路
１０４  処理装置
１０５  メモリ
１０６  記憶装置
１０７  ＰＬＣアダプタ
１０８  インタフェース
１１１  充放電条件入力部
１１２  充放電要求送信部
１１３  充放電状態送信部
１１４  充放電制御部
１１５  充放電終了コマンド受信部
１３１  充放電情報記憶部
１３２  充放電条件記憶部
１１    電力線
２０    電力量計
２１    コネクタ
２２    コネクタ
２０１  充電回路
２０２  放電回路
２０３  切替回路
２０４  判定処理回路
２０５  ＰＬＣアダプタ
２０６  メモリ
３０    サーバ
３１    電力線
３０１  ＣＰＵ
３０２  メモリ
３０３  記憶装置
３０４  ＰＬＣアダプタ
３０５  コネクタ
３０６  入力装置
３０７  出力装置
３１１  充放電要求受信部
３１２  系統連系判定部
３１３  充放電指示コマンド送信部
３３１  連系可能車両データベース
３３２  系統連系管理データベース
【図１】
0005318064.tif 000002
【図２】
0005318064.tif 000003
【図３】
0005318064.tif 000004
【図４】
0005318064.tif 000005
【図５】
0005318064.tif 000006
【図６】
0005318064.tif 000007
【図７】
0005318064.tif 000008
【図８】
0005318064.tif 000009
【図９】
0005318064.tif 000010
【図１０】
0005318064.tif 000011
【図１１】
0005318064.tif 000012
【図１２】
0005318064.tif 000013
【図１３】
0005318064.tif 000014
【図１４】
0005318064.tif 000015
【図１５】
0005318064.tif 000016
【図１６】
0005318064.tif 000017